【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
それぞれ一意な識別子に関連付けられた荷物のサイズと重量を示す入力をチェックイン・システムから受信するように構成されたインタフェースと、
配送を選択し、前記配送のための荷物を識別し、前記配送にサービスを提供する多列乗客航空機の貨物倉の寸法に前記配送を相関付け、前記貨物倉に荷物を積み込むための積込み制限を示す入力を受信し、前記配送のための前記荷物のサイズと重量に基づいて、前記貨物倉内の前記配送のための荷物ごとの位置を一意な座標として示し、前記積込み制限に準拠する荷物マップを生成するように構成されたコントローラであって、前記荷物マップは、最適化技術を介して生成され、前記最適化技術は、潜在的な積み出しを生成し、スコアリング関数を介して前記潜在的な積み出しをスコアリングし、前記スコアリング関数は、前記積込み制限の遂行に適するスコアリング基準を有し、前記貨物倉は、前記航空機の客室の下に配置され、前記最適化技術は、飛行計算、離陸計算、着陸計算、トリム抵抗、および、機尾負荷から選択されたグループの少なくとも１つの推定を容易にする、コントローラと、
前記荷物マップを格納するように構成されたメモリと、
前記荷物マップに従って前記航空機の前記貨物倉に積み込む際に荷物ハンドラに指示するように構成された積込みシステムと
を備えた荷物マッピング・システム
を備える、システム。
【請求項２】
前記インタフェースは、前記貨物倉に積み込むための次の荷物を識別する入力を前記積込みシステムから受信するように構成され、
前記コントローラは、前記荷物に対する前記貨物倉内の位置を識別するために前記荷物マップを分析し、前記荷物に対する前記貨物倉内の前記位置の画像を表示するようにディスプレイに指示する命令を送信するように構成される、
請求項１に記載のシステム。
【請求項３】
前記インタフェースは、前記貨物倉から荷下ろしするための荷物を識別する入力を前記積込みシステムから受信するように構成され、
前記コントローラは、前記荷物マップに基づいて荷下ろしするための前記荷物に対する前記貨物倉内の位置を識別し、前記貨物倉内の前記位置を積込みシステムに示すようにディスプレイに指示する命令を送信するように構成される、
請求項１に記載のシステム。
【請求項４】
前記インタフェースは、前記荷物の各々をハード・クラスまたはソフト・クラスの何れかに割り当てる入力を受信するように構成され、
前記コントローラは、フライトに対する前記荷物のサイズ、重量、およびクラスに基づいて前記荷物マップを生成するように構成される、
請求項１に記載のシステム。
【請求項５】
前記積込み制限は、前記貨物倉内の事前定義された空のボリュームを規定し、前記荷物マップは、収益貨物を格納するための位置として前記事前定義された空のボリュームを含むために、更新されるようにさらに構成される、
請求項１に記載のシステム。
【請求項６】
前記配送は、フライトを含み、
前記積込み制限は、前記航空機の要求される重力中心を保証する前記フライトのための前記荷物に対する重量配分を規定するように構成される、
請求項１に記載のシステム。
【請求項７】
前記最適化技術は、ネルダー・ミード・シンプレックスおよびシミュレートされたアニーリングからなる前記グループから選択される、
請求項１に記載のシステム。
【請求項８】
チェックイン・システムをさらに備え、前記チェックイン・システムは、前記荷物を受け取り、前記荷物の識別子を判断するためにタグを読取り、前記荷物のサイズと重量とを判断し、前記識別子を前記サイズと前記重量とに関連つけるように構成される、
請求項１に記載のシステム。
【請求項９】
前記積込みシステムは、前記荷物を前記航空機に積み込む前に荷物の識別子を判断するためにタグを読取り、前記識別子に基づいて荷物マッピングシステムに照会し、前記貨物倉内の前記荷物に対する荷物マップによって定義される位置を識別する入力を受信し、荷物ハンドラによる視認のために前記位置をディスプレイするように構成される、
請求項１に記載のシステム。
【請求項１０】
配送のための荷物の寸法と重量とを判断するステップと、
前記配送にサービスを提供する多列乗客航空機の貨物倉の寸法を識別するステップであって、前記貨物倉は、前記航空機の客室の下に配置される、ステップと、
前記貨物倉に荷物を積み込むための積込み制限を識別するステップと、
前記多列乗客航空機の積込み前に、前記配送のための荷物マップを生成するステップであって、前記荷物マップは、前記貨物倉内の前記配送のための各荷物の位置を示し、前記積込み制限に準拠し、前記配送のための前記荷物の寸法と重量とに基づく、ステップと、
前記貨物倉をボリューム要素に細分割するステップと、
各荷物を、前記貨物倉内のボリュームを含む１以上のボリューム要素の一意な組に関連つけるステップと
を含む方法であって、
前記荷物マップは、最適化技術を介して生成され、前記最適化技術は、潜在的な積み出しを生成し、スコアリング関数を介して前記潜在的な積み出しをスコアリングし、前記スコアリング関数は、前記積込み制限の遂行に適するスコアリング基準を有し、
前記最適化技術は、飛行計算、離陸計算、着陸計算、トリム抵抗、および、機尾負荷から選択されたグループの少なくとも１つの推定を容易にし
前記荷物マップに従って前記航空機の貨物倉に積み込むことを荷物ハンドラに指示するステップ
を含む方法。
【請求項１１】
前記貨物倉に積み込むための次の荷物を識別する入力を受信するステップと、
前記荷物マップを分析して前記次の荷物に対する位置を識別するステップと、
前記次の荷物に対する前記位置の画像を表示するようにディスプレイを動作させるステップと
をさらに含む
請求項１０に記載の方法。
【請求項１２】
前記貨物倉に積み込むための次の荷物を識別する入力を受信するステップと、
前記荷物マップを分析して前記次の荷物に対する位置を識別するステップと、
前記次の荷物に対する前記位置を聴覚的に示すようにスピーカを動作させるステップと
をさらに含む
請求項１０に記載の方法。
【請求項１３】
前記貨物倉から荷下ろしするための荷物を識別する入力を積込みシステムから受信するステップと、
前記荷物マップに基づいて荷下ろしするための前記荷物に対する前記貨物倉内の位置を識別するステップと、
荷下ろしするための前記荷物に対する前記貨物倉内の前記位置の画像を表示するようにディスプレイを動作させるステップと
をさらに含む
請求項１０に記載の方法。
【請求項１４】
前記貨物倉から荷下ろしするための荷物を識別する入力を積込みシステムから受信するステップと、
前記荷物マップに基づいて荷下ろしするための前記荷物に対する前記貨物倉内の位置を識別するステップと、
荷下ろしするための前記荷物に対する前記貨物倉内の前記位置を聴覚的に示すようにスピーカを動作させるステップと
をさらに含む
請求項１０に記載の方法。
【請求項１５】
前記荷物の各々をハード・クラスまたはソフト・クラスの何れかに割り当てる入力を受信するステップと、
前記配送のための前記荷物の前記寸法、重量、およびクラスに基づいて前記荷物マップを生成するステップと
をさらに含む
請求項１０に記載の方法。
【請求項１６】
前記積込み制限は、前記貨物倉内の事前定義された空のボリュームを規定し、前記荷物マップは、収益貨物を格納するための位置として前記事前定義された空のボリュームを含むために、さらに更新される、
請求項１０に記載の方法。
【請求項１７】
前記配送は、フライトを含み、
前記積込み制限は、前記航空機の要求される重力中心を保証する前記フライトのための前記荷物に対する重量配分を規定するように構成される、
請求項１０に記載の方法。
【請求項１８】
前記最適化技術は、ネルダー・ミード・シンプレックスおよびシミュレートされたアニーリングからなる前記グループから選択される、
請求項１０に記載の方法。
【請求項１９】
前記荷物マップに基づいて前記航空機に積込みするステップ
をさらに含む
請求項１０に記載の方法。
【請求項２０】
プロセッサにより実行されたとき、
配送のための荷物の寸法と重量とを判断するステップと、
前記配送にサービスを提供する多列乗客航空機の貨物倉の寸法を識別するステップであって、前記貨物倉は、前記航空機の客室の下に配置される、ステップと、
前記貨物倉に荷物を積み込むための積込み制限を識別するステップと、
前記多列乗客航空機の積込み前に、前記配送のための荷物マップを生成するステップであって、前記荷物マップは、前記貨物倉内の前記配送のための各荷物の位置を示し、前記積込み制限に準拠し、前記配送のための前記荷物の寸法と重量とに基づく、ステップと、
前記貨物倉をボリューム要素に細分割するステップと、
各荷物を、前記貨物倉内のボリュームを含む１以上のボリューム要素の一意な組に関連つけるステップと
を含む方法であって、
前記荷物マップは、最適化技術を介して生成され、前記最適化技術は、潜在的な積み出しを生成し、スコアリング関数を介して前記潜在的な積み出しをスコアリングし、前記スコアリング関数は、前記積込み制限の遂行に適するスコアリング基準を有し、
前記最適化技術は、飛行計算、離陸計算、着陸計算、トリム抵抗、および、機尾負荷から選択されたグループの少なくとも１つの推定を容易にし、
前記荷物マップに従って前記航空機の貨物倉に積み込むことを荷物ハンドラに指示するステップ
を含む方法を実施するように動作可能なプログラムされた命令を具現化する非一時的コンピュータ可読記憶媒体。
【請求項２１】
前記方法はさらに、
前記貨物倉に積み込むための次の荷物を識別する入力を受信するステップと、
前記荷物マップを分析して前記次の荷物に対する位置を識別するステップと、
前記次の荷物に対する前記位置の画像を表示するようにディスプレイを動作させるステップと
を含む、
請求項２０に記載の媒体。
【請求項２２】
前記方法はさらに、
前記貨物倉に積み込むための次の荷物を識別する入力を受信するステップと、
前記荷物マップを分析して前記次の荷物に対する位置を識別するステップと、
前記次の荷物に対する前記位置を聴覚的に示すようにスピーカを動作させるステップと
を含む、
請求項２０に記載の媒体。
【請求項２３】
前記方法はさらに、
前記貨物倉から荷下ろしするための荷物を識別する入力を積込みシステムから受信するステップと、
前記荷物マップに基づいて荷下ろしするための前記荷物に対する前記貨物倉内の位置を識別するステップと、
荷下ろしするための前記荷物に対する前記貨物倉内の前記位置の画像を表示するようにディスプレイを動作させるステップと
を含む、
請求項２０に記載の媒体。
【請求項２４】
前記方法はさらに、
前記貨物倉から荷下ろしするための荷物を識別する入力を積込みシステムから受信するステップと、
前記荷物マップに基づいて荷下ろしするための前記荷物に対する前記貨物倉内の位置を識別するステップと、
荷下ろしするための前記荷物に対する前記貨物倉内の前記位置を聴覚的に示すようにスピーカを動作させるステップと
を含む、
請求項２０に記載の媒体。
【請求項２５】
前記方法はさらに、
前記荷物の各々をハード・クラスまたはソフト・クラスの何れかに割り当てる入力を受信するステップと、
前記配送のための前記荷物の前記寸法、重量、およびクラスに基づいて前記荷物マップを生成するステップと
を含む、
請求項２０に記載の媒体。
【請求項２６】
前記積込み制限は、前記貨物倉内の事前定義された空のボリュームを規定し、前記荷物マップは、収益貨物を格納するための位置として前記事前定義された空のボリュームを含むために、さらに更新される、
請求項２０に記載の媒体。
【請求項２７】
前記配送は、フライトを含み、
前記積込み制限は、前記航空機の要求される重力中心を保証する前記フライトのための前記荷物に対する重量配分を規定する、
請求項２０に記載の媒体。
【請求項２８】
前記最適化技術は、ネルダー・ミード・シンプレックスおよびシミュレートされたアニーリングからなる前記グループから選択される、
請求項２０に記載の媒体。
【請求項２９】
前記方法はさらに、
前記荷物マップに基づいて前記航空機に積込みするステップ
を含む、
請求項２０に記載の媒体。